(57)【要約】【課題】外筐に互換性を持たせた計器を実現する。【解決手段】前面が開口し背面にコネクタが固定された所定の長さを有する外筐と、この外筐の前面開口部から挿入される内器からなり、この内器の背面に設けたコネクタが前記外筐の背面に設けたコネクタに達しない場合に際しては、前記内器の背面にアダプタを配置した。【選択図】図１
2008139060.tif 000002
【特許請求の範囲】
【請求項１】
前面が開口し背面にコネクタが固定された所定の長さを有する外筐と、この外筐の前面開口部から挿入される内器からなり、この内器の背面に設けたコネクタが前記外筐の背面に設けたコネクタに達しない場合に際しては、前記内器の背面にアダプタを配置したことを特徴とする計器。
【請求項２】
前記アダプタは両面にコネクタを有し、一方の面のコネクタが前記内器の背面に設けたコネクタに係合し、他方の面に設けたコネクタが前記外筐の背面に固定されたコネクタに係合するようにしたことを特徴とする請求項１に記載の計器。
【請求項３】
前記アダプタと内器の後部は上部(若しくは下部)で少なくとも２個所、下部(若しくは上部)で少なくとも１個所固定されていることを特徴とする請求項１又は２に記載の計器。
【請求項４】
前記アダプタに機能部材を設けたことを特徴とする請求項１乃至３のいずれかに記載の計器。
【発明の詳細な説明】
【技術分野】
【０００１】
本発明は、例えばパネルマウント計器に関し、長さが異なる外器に対して互換性を持たせた内器の構成に関するものである。
【背景技術】
【０００２】
一般に計測器の開発に際しては段階ごとにフェーズが設けられ、フェーズが進むごとに設計が改良され、また、使用する電子部品も機能改良されるので全体として小型化、高性能化がはかられる。
そのため、開発初期のものと改良後のものでは全体として小型化される場合が多い。小型化がはかられるのは主として内器であるが、内器の小型化に対応して外器も小型化される。
【０００３】
なお、小型化された新型のメモリカードを既存のメモリカードの寸法に適合するように互換性を持たせた先行技術文献としては、下記の特許文献が知られている。
【０００４】
【特許文献１】実用新案登録第３０９８１３０号公報
【発明の開示】
【発明が解決しようとする課題】
【０００５】
初期段階で製品化されてユーザに納入されたものと、機能が追加されたり改良された後発(新型)の機種では後発の内器が小さくなり、これを収納する外器の形状(例えば長さ)も小さくなる。
【０００６】
そして、ユーザに高機能化された新しい(内器が小型化された)機種を販売しようとした場合、又はユーザ側で高機能化をはかろうとした場合、あるいは、機能は従来のままでパネル自体は既存のものを用い外器はそのままで内器のみを交換したいという要求がある。
【０００７】
本発明は初期段階でユーザに納入された長さの長い筐体を利用して、新しく設計開発された新製品(内器)を使用するための互換性を持たせた計器を実現することにある。
【課題を解決するための手段】
【０００８】
このような課題を達成するための本発明の構成は、請求項１においては、
前面が開口し背面にコネクタが固定された所定の長さを有する外筐と、この外筐の前面開口部から挿入される内器からなり、この内器の背面に設けたコネクタが前記外筐の背面に設けたコネクタに達しない場合に際しては、前記内器の背面にアダプタを配置したことを特徴とする。
【０００９】
請求項２においては、請求項１に記載の計器において、
前記アダプタは両面にコネクタを有し、一方の面のコネクタが前記内器の背面に設けたコネクタに係合し、他方の面に設けたコネクタが前記外筐の背面に固定されたコネクタに係合するようにしたことを特徴とする。
【００１０】
請求項３においては、請求項１又は２に記載の計器において、
前記アダプタと内器の後部は上部(若しくは下部)で少なくとも２個所、下部(若しくは上部)で少なくとも１個所固定されていることを特徴とする。
【００１１】
請求項４においては、請求項１乃至３のいずれかに記載の計器において、
前記アダプタに機能部材を設けたことを特徴とする
【発明の効果】
【００１２】
以上説明したことから明らかなように、本発明の請求項１によれば、
前面が開口し背面にコネクタが固定された所定の長さを有する外筐と、この外筐の前面開口部から挿入される内器からなり、この内器の背面に設けたコネクタが前記外筐の背面に設けたコネクタに達しない場合に際しては、前記内器の背面にアダプタを配置したので、アダプタの長さを調整することにより第２筐体に適合可能となる。
【００１３】
請求項２によれば、前記アダプタは両面にコネクタを有し、一方の面のコネクタが前記内器の背面に設けたコネクタに係合し、他方の面に設けたコネクタが前記外筐の背面に固定されたコネクタに係合するようにしたので、内器のコネクタとの接続を容易に行うことができる。
【００１４】
請求項３によれば、前記アダプタと内器の後部は上部(若しくは下部)で少なくとも２個所、下部(若しくは上部)で少なくとも１個所固定されているので、内器とアダプタの固定(接続)を確実に行うことができる。
【００１５】
請求項４によれば、前記アダプタに機能部材を設けたので、計器としての機能を拡大することができる。
【発明を実施するための最良の形態】
【００１６】
以下本発明を、図面を用いて詳細に説明する。図１は本発明の一実施例を示す斜視図（ａ〜ｄ）および側面図（ｅ〜ｈ）である。図中（ａとｅ）図、（ｂとｆ）図、（ｃとｇ）図、（ｄとｈ）が対応する斜視図および側面図である。
【００１７】
これらの図において、開発初期に作成された外器を旧外器４と称し、高機能化された新しい(内器が小型化された)機種を新内器1および新外器２と称する。
新内器１において、前面表示操作部１０は指示計や調節計などの動作に必要な操作機能を有するもので、バ―グラフ等を表示する表示部１１と、この表示部１１の右側縦一列並びに下側横一列に配置された操作釦よりなる操作キ―１２を備えている。メインボ―ド部１３は指示計や調節計などの動作に必要な電子回路を収容したものである。
【００１８】
メインボード部１３の後方(背面)にはコネクタ１４が取り付けられている。新内器1が挿入される新外器２にはレール１５が設けられており、新内器はこのレールに沿って挿入される。新内器１はメインボード部の長さがｌ１に形成されており、新内器１を新外器２に挿入したときにｌ１と同一長さに形成されたＬ２分だけ進入し、コネクタ１４は厚さｔからなる端子台１６に取り付けられたコネクタ１４ａと係合する。
【００１９】
図１（ｄ）は旧外器４の形状を示す斜視図である。この外器４には図１（ｂ）に示すものと同様のコネクタ１４ａと端子台１６が固定されており、異なるのは外筐の長さＬ１とレール１５ａの長さが長く形成されているという点である。従って、この旧外器４に新内器1を挿入した場合は新内器のコネクタ１４は旧外器４のコネクタ１４ａに係合することができない。
【００２０】
図１（ｃ），（ｇ）は新内器１にアダプタ１７を取り付けた状態を示すもので、このアダプタ１７は板金などを用いて矩形状に形成されている。このアダプタ１７の新内器１の背面と端子台１６に対向する側にはコネクタ１４と１４ａが係合するアダプタが取り付けられており、アダプタ１７に取り付けたコネクタ同士は図示しないプリント基板配線などにより電気的に接続されている。
【００２１】
アダプタ１７の高さはメインボード部１３のプリント基板の高さと略同様とされ、幅ｌ２に形成されており、メインボード部１３の長さｌ１とアダプタ１７の長さを合計した長さがｌ３となり、旧外筐の長さＬ1の長さ（図ｈ参照）と同様となる。
【００２２】
アダプタ１７とメインボード部１３の背面はねじ１８により固定されており、このねじは上方で２本（または１本）、下方で２本（または１本）の少なくとも３本で固定されている。
【００２３】
上述の構成によれば新内器１にアダプタ１７を取り付けて延長することにより旧外筐４の外筐をそのまま利用することができる。また、板金で矩形状に形成したアダプタ１７内に機能部材（例えば電流変換器）などを設けて高機能化をはかることも可能である。
【００２４】
なお、以上の説明は、本発明の説明および例示を目的として特定の好適な実施例を示したに過ぎない。例えば、前面表示操作部の形状およびメインボード部などの形状は図示の例に限ることなく様々に変形可能である。
従って本発明は、上記実施例に限定されることなく、その本質から逸脱しない範囲で更に多くの変更、変形を含むものである。
【図面の簡単な説明】
【００２５】
【図１】本発明を適用したアダプタと内器及び外器の一実施形態を示す斜視図及び側面図である。
【符号の説明】
【００２６】
１      新内器
２      新外器
４      旧外器
１０    前面表示操作部
１１    表示部
１２    操作キー
１３    メインボード部
１４    コネクタ
１５    レール
１６    端子台
１７    アダプタ
１８    ねじ
【図１】
2008139060.tif 000003